(57)【要約】【課題】従来の多回路電力量計測器は、電力または電力量の測定だけを行うため、測定した電力量の妥当性を分析しにくいという課題を有していた。【解決手段】本発明の複合型多回路電力量計測器１は、上記課題を解決するために、複数の電力量を測定するための電圧入力部、電流入力部に加えて、温度や湿度といった物理諸量を測定するための物理諸量入力部を備えている。またこれらの電力量や温度、湿度といった測定値を外部に出力するための出力部を備える。さらには温度センサを店舗内の熱源付近や入り口付近に設け、快適な室温維持を保つ。【選択図】図１
2005265762.tif 000002
【特許請求の範囲】
【請求項１】
複数の電力系統から入力する各系統の電圧値と前記電力系統または複数に分岐した回路から入力する各回路の電流値とから各回路の電力量を計測する電力量計測部と、気象センサにより気象に関する物理諸量を計測した信号を入力し前記物理諸量を数値化する物理諸量計測部とを備えた複合型多回路電力量計測器。
【請求項２】
複数の電力系統から入力する各系統の電圧値と前記電力系統または複数に分岐した回路から入力する各回路の電流値とから各回路の電力量を計測する電力量計測部と、気象センサにより気象に関する物理諸量を計測した信号を入力し前記物理諸量を数値化する物理諸量計測部と、前記電力量計測部で求めた各回路の電力量と前記物理諸量計測部で求めた気象に関する物理諸量の少なくともいずれかを外部に通信する通信部とを備えた複合型多回路電力量計測器。
【請求項３】
複数の電力系統から入力する各系統の電圧値と前記電力系統または複数に分岐した回路から入力する各回路の電流値とから各回路の電力量を計測する電力量計測部と、気象センサにより気象に関する物理諸量を計測した信号を入力し前記物理諸量を数値化する物理諸量計測部と、前記電力量計測部で求めた各回路の電力量と前記物理諸量計測部で求めた気象に関する物理諸量の少なくともいずれかを表示する表示部とを備えた複合型多回路電力量計測器。
【請求項４】
複数の電力系統から入力する各系統の電圧値と前記電力系統または複数に分岐した回路から入力する各回路の電流値とから各回路の電力量を計測する電力量計測部と、気象センサにより気象に関する物理諸量を計測した信号を入力し前記物理諸量を数値化する物理諸量計測部と、制御線で接続された外部の電気機器を制御する制御部とを備え、前記制御部は、前記電力量計測部で求めた各回路の電力量と前記物理諸量計測部で求めた気象に関する物理諸量のデータとを元に、前記電気機器を制御する複合型多回路電力量計測器。
【請求項５】
電力量計測部は、複数の電力系統から各系統電圧値を計測した信号を入力する電圧入力部と、前記電力系統または複数に分岐した回路から各回路電流値を計測した信号を入力する電流入力部と、前記電圧入力部で入力した複数系統の信号から任意の系統の系統電圧値を選択して所定の複数系統に出力する系統電圧選択出力部と、前記電流入力部で入力した各回路電流値を計測した信号と前記系統電圧選択出力部から出力された系統電圧値とから各回路電力量を演算する電力量演算部とを備えた請求項１から４のいずれかに記載の複合型多回路電力量計測器。
【請求項６】
物理諸量計測部は、気象センサから信号線を介して信号入力する物理諸量入力部と、前記気象センサへ電源供給する電源部と、前記電源部による供給電源を前記信号線上に重畳するかしないかを切り替える切り替えスイッチ部とを備えた請求項１から５のいずれかに記載の複合型多回路電力量計測器。
【請求項７】
電力量計測部は、複数の電力系統から各系統電圧値を計測した信号を入力する電圧入力部と、前記電力系統または複数に分岐した回路から各回路電流値を計測した信号を入力する電流入力部とを備え、物理諸量計測部は、気象センサにより気象に関する物理諸量を計測した信号を入力する物理諸量入力部を備え、前記電圧入力部、
前記電流入力部、および前記物理諸量入力部は入力する各信号の信号線を任意の位置に取り付けられるようにし、一体とした請求項１から４のいずれかに記載の複合型多回路電力量計測器。
【請求項８】
一体にした電圧入力部、電流入力部、および物理諸量入力部で入力した複数系統の信号から任意の系統の系統電圧値を選択して所定の複数系統に出力する信号選択出力部を備える請求項７記載の複合型多回路電力量計測器。
【請求項９】
物理諸量計測部は、少なくとも湿度センサにより計測した湿度情報の信号を入力して数値化する請求項１から８のいずれかに記載の複合型多回路電力量計測器。
【請求項１０】
物理諸量計測部は、少なくとも温度センサにより計測した温度情報の信号を入力して数値化する請求項１から９のいずれかに記載の複合型多回路電力量計測器。
【請求項１１】
物理諸量計測部は、複数の温度センサにより計測した温度情報の信号を入力して数値化する請求項１０記載の複合型多回路電力量計測器。
【請求項１２】
店舗内に設けた少なくとも１つの温度センサを含む気象センサと、前記店舗内で動作させる少なくともエアコンを含む電気機器と、前記気象センサから入力する信号と少なくとも前記電気機器に電力を供給する電力系統から入力する信号とを入力して少なくとも温度と電力量を数値化して求める複合型多回路電力量計測器とを備え、前記温度センサの少なくとも１つは店舗内の熱源付近に設けたシステム。
【請求項１３】
店舗内に設けた少なくとも１つの温度センサを含む気象センサと、前記店舗内で動作させる少なくともエアコンを含む電気機器と、前記気象センサから入力する信号と少なくとも前記電気機器に電力を供給する電力系統から入力する信号とを入力して少なくとも温度と電力量を数値化して求める複合型多回路電力量計測器とを備え、前記温度センサの少なくとも１つは店舗内の入口付近に設けたシステム。
【請求項１４】
複合型多回路電力量計測器は、接続する電気機器を制御する制御部を備え、数値化して求めた温度データを元に前記電気機器の制御を行う、請求項１２または１３に記載のシステム。
【請求項１５】
店舗内に設けた少なくとも１つの温度センサを含む気象センサと、前記店舗内で動作させる少なくともエアコンを含む電気機器と、前記気象センサから入力する信号と少なくとも前記電気機器に電力を供給する電力系統から入力する信号とを入力して少なくとも温度と電力量を数値化して求める複合型多回路電力量計測器と、前記複合型多回路電力量計測器で求めた少なくとも温度および電力量データをネットワーク網を介して送信するセンターサーバとを備えたシステム。
【請求項１６】
複合型多回路電力量計測器は、接続する電気機器を制御する制御部を備え、センターサーバは、送信された温度データを元に前記制御部を介して前記電気機器の制御を行う請求項１５記載のシステム。
【請求項１７】
複合型多回路電力量計測器は、複数の電力系統から各系統電圧値を計測した信号を入力する電圧入力部と、前記電力系統または複数に分岐した回路から各回路電流値を計測した信号を入力する電流入力部と、前記電圧入力部で入力した複数系統の信号から任意の系統の系統電圧値を選択して所定の複数系統に出力する系統電圧選択出力部と、前記電流入力部で入力した各回路電流値を計測した信号と前記系統電圧選択出力部から出力された系統電圧値とから各回路電力量を演算する電力量演算部とを有する電力量計測部を備えた請求項１２から１６のいずれかに記載のシステム。
【請求項１８】
複合型多回路電力量計測器は、気象センサから信号線を介して信号入力する物理諸量入力部と、前記気象センサへ電源供給する電源部と、前記電源部による供給電源を前記信号線上に重畳するかしないかを切り替える切り替えスイッチ部とを有する物理諸量計測部を備えた請求項１２から１７のいずれかに記載のシステム。
【請求項１９】
複合型多回路電力量計測器は、複数の電力系統から各系統電圧値を計測した信号を入力する電圧入力部と、前記電力系統または複数に分岐した回路から各回路電流値を計測した信号を入力する電流入力部と、気象センサから信号線を介して信号入力する物理諸量入力部とを備え、前記電圧入力部、前記電流入力部、および前記物理諸量入力部は入力する各信号の信号線を任意の位置に取り付けるようにし、一体とした請求項１２から１６のいずれかに記載のシステム。
【請求項２０】
一体にした電圧入力部、電流入力部、および物理諸量入力部で入力した複数系統の信号から任意の系統の系統電圧値を選択して所定の複数系統に出力する信号選択出力部を備える請求項１９記載のシステム。
【発明の詳細な説明】
【技術分野】
【０００１】
本発明は複数の電力量ならびに物理諸量を測定できる複合型多回路電力量計測器に関するものである。
【背景技術】
【０００２】
近年、環境問題に対する意識の高まりや省エネ法の施行により、省エネに取り組むための施策の需要が高まっている。これに伴い機器の消費電力量を測定する機器が各社から販売され、電力消費量を監視しようという動きが出ている。そして、このような測定機器の中で、個別のユーザにおけるトータルの電力消費量を計測するだけではなく、分岐した各系統ごと、あるいは対象の電気機器ごとに複数の系統の電力を同時に測定する多回路電力量計測器が求められている。
【０００３】
このような需要に対し、従来の多回路電力量計測器において、対象となる機器を複数台同時に測定することができるものがある（例えば特許文献１参照）。
【０００４】
図６はこのような従来の多回路電力量計測器およびその多回路電力量計測器による電力量の計測状態を示す図である。
【０００５】
図６において、１０２１、１０２２および１０２３は降圧変圧器であり、一次電圧から二次電圧に降圧させる。また１０２４、１０２５および１０２６はＰＴと呼ばれる電圧計測するための計器用変圧器である。また、１００１は多回路電力量計測器を示し、電圧入力部１１００、電流入力部１２００、電力量演算部１３００、系統電圧選択出力部１４００から構成される。また、１０２７〜１０３２は、降圧された系統電圧から分岐された複数の回路に設けられ電流値を計測するＣＴなどの変流器であり、電流入力部１２００は、変流器１０２７〜１０３２からの各回路電流を計測した信号を入力する電流入力部を示す。
【０００６】
上記の構成のような従来の多回路電力量計測器における動作について説明する。電圧入力部１１００は、一例として系統Ｉ電圧入力部１１０１〜系統III電圧入力部１１０３で構成され、３系統の電圧を計測した信号入力に対応できるようにしている。また、電流入力部１２００も一例として回路Ｉ電流入力部１２０１〜回路VI電流入力部１２０６の６回路の電流計測した信号の入力に対応するように構成されている。さらに電力量演算部１３００は電流入力部１２００の電流入力部の数と同数の回路Ｉ電力演算部１３０１〜回路VI電力量演算部１３０６によって構成され、各回路の電力量を演算する。
【０００７】
そして、電流入力部１２００と電力量演算部１３００は、回路Ｉ電流入力部１２０１〜回路VI電流入力部１２０６と回路Ｉ電力演算部１３０１〜回路VI電力量演算部１３０６とがそれぞれ対応して結線または回路上で接続している。
【０００８】
また系統電圧選択出力部１４００は、系統Ｉ電圧入力部１１０１〜系統III電圧入力部１１０３の複数系統からの信号を入力し、それらの電圧を任意に選択かつ分離し、さらに回路Ｉ電力演算部１３０１〜回路VI電力量演算部１３０６に対して出力することができるものである。そして系統電圧選択出力部１４００は、電圧入力部１１００の複数系統からの信号を入力する電圧入力部１４０１と、それら系統Ｉ電圧入力部１１０１〜系統III電圧入力部１１０３で入力する各系統の信号を任意に選択する電圧選択部１４０２と、選択された個々の回路Ｉ電力演算部１３０１〜回路VI電力量演算部１３０６のいずれかに出力するための電圧出力部１４０３とによって構成されている。
【０００９】
このような系統電圧選択出力部１４００の構成および動作について、図７を用いてさらに詳細に説明する。図７は系統電圧選択出力部１４００の構成を示すブロック図であり、１４１１〜１４１３は各電力系統の入力ごとに設けられたＡ／Ｄコンバータ、１４１４は、それぞれの系統電圧値を記憶するメモリを示す。
【００１０】
そして、電圧入力部１４０１の３つ入力部１４０１ａ〜１４０１ｃにそれぞれ、系統Ｉ電圧入力部１１０１〜系統III電圧入力部１１０３から系統電圧を計測した信号が入力される。なお、電圧入力部１４０１に入力するこれら系統電圧はアナログ信号であり、Ａ／Ｄコンバータ１４１１〜１４１３でデジタル値に変換され、メモリ１４１４に記憶される。また、メモリ１４１４には、各系統電圧ごとに記憶するエリアが決められており、所定の系統電圧値が随時読み出し可能としている。
【００１１】
さらに、電圧選択部１４０２は、設定入力手段（図示せず）により設定された入出力設定に基づき、メモリ１４１４に記憶した系統Ｉ電圧入力部１１０１〜系統III電圧入力部１１０３のうちの所定の系統の電圧値を、回路Ｉ電力演算部１３０１〜回路VI電力量演算部１３０６のうちの所定の電力演算部に出力するように設定する。そして、電圧出力部１４０３の６つの出力部から回路Ｉ電力演算部１３０１〜回路VI電力量演算部１３０６へ系統電圧値を出力する。
【００１２】
上記したような構成により、従来の多回路電力量計測器１００１は、電力量演算部１３００の各回路電力計測部１３０１〜１３０６に各回路電流１２０１〜１２０６が接続されており、また系統電圧選択出力部１４００から、所定の回路に対応した系統電圧を１１０１〜１１０３より任意に選択して各電力計測部１３０１〜１３０６に出力できるので、各系統電圧１１０１〜１１０３と回路電流１２０１〜１２０６とを所定の回路における電力量の計測を行うことができる。
【特許文献１】特許第３０９２６１８号公報（第１図）
【発明の開示】
【発明が解決しようとする課題】
【００１３】
しかし、従来の多回路電力量計測器は、電力または電力量の測定だけを行うため、単純な電力量の管理しかできず、温度や湿度といった周囲状況の変化を加味した分析はできないという課題を有していた。
【００１４】
すなわち、省エネを行うにあたっては、単に電力量を計測監視して、電力節減を訴えるだけでは不十分であり、気候や室内での作業状況等において変化する温度や湿度といった物理諸量の移り変わりに伴う電力消費量の経過を見る必要があった。しかしながら、従来では、温度、湿度等の物理諸量と電力量の計測にあたって、それらを計測演算する装置が一体化されたものはなかった。
【００１５】
本発明は、電力量と同時に温度や湿度といった物理諸量を測定する複合型多回路電力量計測器を提供することを目的とする。
【課題を解決するための手段】
【００１６】
本発明の複合型多回路電力量計測器は、上記課題を解決するために、電力量を測定するための電圧入力部、電流入力部に加えて、気象センサにより計測した気象に関する物理諸量を測定するための物理諸量入力部を備えている。
【００１７】
また本発明の複合型多回路電力量計測器は、電力量を測定するための電圧入力部、電流入力部に加えて、温度または湿度の少なくともいずれかを測定するための物理諸量入力部を備えている。
【００１８】
また本発明の複合型多回路電力量計測器は、電力量を測定するための電圧入力部、電流入力部に加えて、複数箇所の温度または湿度の少なくともいずれかを測定するための物理諸量入力部を備えている。
【００１９】
また本発明の複合型多回路電力量計測器は、電力量を測定するための電圧入力部、電流入力部および物理諸量を測定するための物理諸量入力部に加えて、測定データをもとに制御線で接続された機器を制御する制御部を備える。
【００２０】
また本発明の複合型多回路電力量計測器は、電力量を測定するための電圧入力部、電流入力部および物理諸量を測定するための物理諸量入力部に加えて、ネットワーク経由でセンターサーバに接続する通信部を備える。
【００２１】
また本発明の複合型多回路電力量計測器は、電力量を測定するための電圧入力部、電流入力部および店舗の熱源付近の温度を測定するための物理諸量入力部に加えて、ネットワーク経由でセンターサーバに接続する通信部を備える。
【００２２】
また本発明の複合型多回路電力量計測器は、電力量を測定するための電圧入力部、電流入力部および店舗の入口付近の温度を測定するための物理諸量入力部に加えて、ネットワーク経由でセンターサーバに接続する通信部を備える。
【００２３】
また本発明の複合型多回路電力量計測器は、電力量を測定するための電圧入力部、電流入力部、物理諸量入力部および制御部に加えて、ネットワーク経由でセンターサーバに接続する通信部を備える。
【発明の効果】
【００２４】
以上のように、本発明は、多回路電力量計測器に物理諸量を計測する機能を付加することにより電力量と温度・湿度などの物理諸量を合わせて管理できるためより正確なエネルギ管理ができる。
【発明を実施するための最良の形態】
【００２５】
（実施の形態１）
図１は本発明の実施の形態１における複合型多回路電力量計測器とその周辺との接続を示す図である。図１において、２１、２２および２３は各電力系統電路に設けられた系統電圧電路降圧変圧器であり、一次電圧から二次電圧に降圧するものである。また２４、２５および２６は降圧された各電力系統電路に設けられ、系統電圧値を計測する電力系統ＰＴと呼ばれる計器用変圧器である。また１は本実施の形態における複合型多回路電力量計測器を示し、電力量計測部１０、物理諸量計測部２０、通信部６００、表示部６００ａ等で構成される。また電力量計測部１０は、電圧入力部１００、電流入力部２００、電力量演算部３００および系統電圧選択出力部４００から構成され、物理諸量計測部２０は、物理諸量入力部２６０、物理諸量計測部５００、５０４  切り替えスイッチ部５０４から構成される。
【００２６】
そして電圧入力部１００は、図中の電力系統Ｉ〜IIIの電圧を計測した信号を入力する系統Ｉ電圧入力部１０１〜系統III電圧入力部１０３を備え、３系統の入力に対応するように構成されている。また電流入力部２００は、電力系統Ｉ〜IIIから分岐した分岐系統Ｉ〜VIの回路電流を計測した信号を入力する回路Ｉ電流入力部２０１〜回路VI電流入力部２０６を備え、６回路の入力に対応するように構成されている。また電力量演算部３００は電流入力部２００の信号入力数と同数の回路Ｉ電力量演算部３０１〜回路VI電力量演算部３０６によって構成されている。
【００２７】
さらに系統電圧選択出力部４００は、電圧入力部１００からの複数系統の信号を入力する電圧入力部４０１と、入力した信号と電流入力部２００の各回路電流との組合せを任意に選択する電圧選択部４０２と、選択された個々の電圧を回路Ｉ電力量演算部３０１〜回路VI電力量演算部３０６のいずれかに出力するための電圧出力部４０３とによって構成されている。すなわち系統電圧選択出力部４００は、電圧入力部１００の複数系統からの電圧計測した信号を入力し、それらの信号を任意に選択かつ分離して電力量演算部３００に出力する。なお、系統電圧選択出力部４００における電圧選択および出力する方法については従来例と同じであり、既に説明済みであるので重複する説明を省略する。
【００２８】
このような構成により、電力量演算部３００の各回路電力量演算部３０１〜３０６には各回路電流入力部２０１〜２０６の信号が接続され、系統電圧選択出力部４００によって１０１〜１０３の各系統電圧で計測された信号を任意に選択して各回路電力演算部３０１〜３０６に出力することにより、各系統電圧と各回路電流とを所望の回路の電力計測ができる。
【００２９】
例えば、回路Ｉ電力量演算部３０１と回路II電力量演算部３０２を１０１の系統Ｉの電圧値と組み合わせ、回路III電力量演算部３０３と回路IV電力量演算部３０４を１０２の系統IIの電圧値と組み合わせ、回路Ｖ電力量演算部３０５と回路VI電力量演算部３０６を系統IIIの電圧値と組み合わせることができる。
【００３０】
あるいは、回路Ｉ電力量計演算部３０１を系統Ｉの電圧値のみと組み合わせ、回路II電力量演算部３０２から回路Ｖ電力量演算部３０５までを系統IIの電圧値と組み合わせ、回路IV電力量演算部３０６を系統IIIの電圧値と組み合わせることもできる。
【００３１】
さらに物理諸量計測部２０は、温度や湿度など気象に関する物理諸量を計測する気象センサである温度センサや湿度センサなどと接続可能であり、接続された温度センサ３３や湿度センサ３４から送られてくるデータを測定する機能をもつ。
【００３２】
例えば、物理諸量計測部５００に複数の温度を測定する温度センサや湿度を測定する湿度センサを接続し、温度ならびに湿度を測定できる。複数個のセンサを接続することによりある空間内における温度の分布や湿度の分布を測定することができる。
【００３３】
また、通信部６００は、電力量演算部３００で計測した電力量を出力する電力量出力部６０１と物理諸量演算部５００で計測した情報を出力する物理諸量出力部６０２から構成されており、ＲＳ−４８５やイーサネット（登録商標）等の通信方式で外部機器と接続し、測定した電力量や温度、湿度情報を前記通信方式を介して前記外部機器に送信することができる。
【００３４】
なお、本実施の形態では電力量、すなわち計測した瞬時電力の積算量を送信する例で説明したが、電力量と同様に瞬時電力も扱えることは言うまでもない。また、単位時間当たりの電力量など目的に応じて加工したデータを送信することも可能である。
【００３５】
また通信部６００から外部機器に送信する例を示したが、複合型多回路電力量計測器１に液晶などの表示装置６００ａを備え、電力量演算部３００で計測した電力量と物理諸量演算部５００で計測した情報を表示するようにしてもよい。
【００３６】
以上のように構成した複合型多回路電力量計測器により、複数の電圧系統に接続されている複数の機器の消費電力量を一度に計測することができ、また同時に温度や湿度といった物理諸量も測定できるため、より正確なエネルギ管理が可能となる。また通信部により外部からそれらの情報を得ることができ複数箇所に設置した複合型多回路電力量計測器を一箇所で管理できるという効果がある。
【００３７】
また図１において、物理諸量計測部２０中に設けた５０４は、外部から設定切り替え可能なスイッチ部であり、温度センサ３３や湿度センサ３４からの信号を入力する物理諸量Ｉ入力部１６０〜物理諸量III入力部１６２と、物理諸量計測部５００間の経路中に設けられている。この切り替えスイッチ部５０４は、温度センサ５０１や湿度センサ５０２、５０３の構成的な種類に応じて、各信号線に経路のスイッチを切り替えるものである。これについて図２を用いて詳細に説明する。
【００３８】
図２は、スイッチ部５０４の内部構成、およびその周辺との接続状態を示す図であり、スイッチ部５０４は、スイッチ５０４ｂおよび直流電源５０４ａとから構成されている。そしてスイッチ５０４ｂは、外部から切り替え可能でａ、ｂどちらかの接点と接続され、温度センサ５０１または湿度センサ５０２と、物理諸量計測部５００とで閉回路を形成している。
【００３９】
そして、温度センサ５０１または湿度センサ５０２は、特性の一例として、温度または湿度の大きさに応じて直流電流４ｍＡ〜２０ｍＡの範囲で変動する。そしてこの直流の電流信号が、閉回路を介して、物理諸量計測部５００側へ送られ、物理諸量計測部５００内に備わる固定抵抗２６０ｂによって、閉回路中の電流値を電圧値に変換させ、Ａ／Ｄコンバータ２６０ａにてデジタル値に変換する。
【００４０】
この時、温度センサ５０１または湿度センサ５０２の内部構成の種類により、この閉回路を形成する信号線にセンサとして動作するために、例えば直流２４Ｖの電源供給が必要となるものがある。その場合は、スイッチ５０４ｂをｂ側に切り替え、直流電源を供給するようにする。反対に、センサへの電源供給は別系統から入力することが必要なタイプのものもあり、その種類のものは、電源供給してはいけないので、スイッチ５０４ｂをａ側に切り替える。
【００４１】
このように、接続するセンサが、電流信号を送る信号線に電源供給を必要とするものと必要としないもののどちらであっても、スイッチ部５０４を設けることで容易に対応できるようにしている。これにより、センサ選定の自由度を大きくでき、またセンサの切り替えが必要となった場合でも設計変更等の措置を全く必要とせず経済的である。
【００４２】
さらに、本実施の形態の第２の実施例として、図３に示すように、図１の系統電圧選択出力部４００をさらに発展させた信号選択出力部２７０とし、任意の位置に接続した系統電圧、回路電流、温度または湿度などの物理諸量などの信号入力に対し、所定の出力位置に出力させるようにしてもよい。
【００４３】
このようにすることにより、系統電圧、回路電流を含む温度または湿度などの物理諸量などすべてを、物理諸量入力部１５０の各入力部１５１〜１６２の任意の接続位置に接続して入力させることができ、回路上の取り付けやすさなど、個々の事情に対しても設置しやすい位置への取付ができ、作業性に富むものである。
【００４４】
また、制御部７００は、電力量演算部３００から入力する電力量と、物理諸量計測部５００から入力する温度または湿度データにより、接続されたエアコン等の電気機器の動作を制御する機能を持つ。詳しくは後述するが、使用電力量に応じてエアコンをオンオフする制御と、使用電力量には無関係に室温や湿度に応じてエアコンをオンオフする制御、電力量と、室温、湿度との双方に応じてエアコンをオンオフする制御を行う。
【００４５】
次に、測定する物理諸量は温度とし、それを計測する温度センサの取り付ける位置について、店舗の一例として飲食店に設置した例をあげて説明する。
【００４６】
図４は、上記説明した複合型多回路電力量計測器、温度センサ、および各電気機器の店舗内での配置を示す平面図である。
【００４７】
図４において、１は上記説明した複合型多回路電力量計測器、３３ａ〜３３ｄは温度センサ、３４は湿度センサ、５１は厨房、５２は入口、５３、５４はエアコン、５５は冷蔵庫、５６は照明器具を示す。ここで、温度センサ３３ｃは厨房５１中にあるガスコンロなどの熱源付近に設置され、また別の温度センサ３３ｄは店舗５０の入口５２付近に設置されている。
【００４８】
また、図５で示すように、図１で示す系統Ｉ電圧から系統III電圧には、一例として、系統Ｉにエアコン５３、５４、系統IIに冷蔵庫５５、系統IIIに照明器具５６が接続されている。
【００４９】
以上のように設置された複合型多回路電力量計測器について説明する。
【００５０】
店舗内のエネルギ管理を行うために上記説明した複合型多回路電力量計測器１を用いて店舗内の機器の消費電力量を計測する。複合型多回路電力量計測器１は複数系統に接続されている機器の消費電力量を測定できるため、エアコン５３、５４、冷蔵庫５５および照明器具５６の消費電力量を同時に測定できる。また、上述したように同時に温度センサ３３〜３７で温度の測定も可能である。
【００５１】
ここで、電力量を計測する電気機器のうちエアコンや冷蔵庫に関しては、計測した消費電力量が妥当であるかどうかについて、消費電力のみではなく、使用環境である外気温あるいは室温がどうであったのかということが大きく影響する。
【００５２】
すなわち、これら室温等の使用環境で消費電力が変化するため、適切な消費電力量を明確に判断することは必ずしも容易でない。。したがって、その評価のために温度センサや湿度センサなどにより、温度や湿度等の物理諸量のデータを元にその妥当性を判断するのが望ましい。
【００５３】
そして、本実施の形態の様に温度センサ３６、３７の配置位置は、図４に示すように、室温や外気温とともに室内の温度が変動する要素である入口やガスコンロといった熱源付近に設置して測定することにより、測定した各機器の消費電力量の妥当性が評価できる。
店舗内で室温が変動する大きな要因となる厨房付近や入口付近に温度センサを設置することで、店舗の入口付近や熱源のために室温が快適な温度から大きく外れることを予想し、それを未然に防ぐためにエアコンに動作を指令し、快適な温度を維持する。すなわち、複数の温度センサを用い、かつ温度変化の大きい位置に設置して温度情報を得るようにすることで一種の予測制御が可能になる。また入口が開閉しない場合や熱源を使用していない場合は温度が大きく変化しないのでエアコンを停止することにより、省エネ制御も可能となる。
【００５４】
さらに、本実施の形態における複合型多回路電力量計測器は、図３に示すように、制御部７００を備え、内部で電力量演算部３００および物理諸量演算部５００と接続され、一例としてエアコン５３、５４と接続されている。なおこれらのエアコン５３、５４は、店舗内に図４で示す配置位置に設置されたものである。そして制御部７００は、電力量演算部３００から入力する電力量と、物理諸量計測部５００から入力する温度または湿度データにより、接続されたエアコン等の電気機器の動作を制御する機能を持つ。
【００５５】
ここで、制御部７００において、この機器を制御する動作手順の一例について、簡単に説明する。
【００５６】
店舗内のエネルギ管理を行うために、図４に示すような複合型多回路電力量計測器１、各機器、センサの接続配置により店舗内の機器の消費電力量を計測する。すなわち、複合型多回路電力量計測器１はエネルギ管理する制御対象複数系統に接続されているエアコン５３、５４、冷蔵庫５５および照明器具５６等の機器の消費電力量を同時に測定する。また、同時に温度センサ３３ａ〜３３ｄで温度の測定も可能である。
【００５７】
前述したように、複合型多回路電力量計測器１内の制御部７００では、温度センサで測定されたデータをもとにエアコンを制御する機能を有する。夏季において冷房運転をしている場合、店舗内に設置した温度センサ３３ａ〜３３ｄで測定した室温を物理諸量入力部２６０に入力される。次に、この室温のいずれか、または全体の平均値を物理緒量演算部５００にて演算し数値化する。
【００５８】
この数値化された室温情報は、制御部７００において制御部７００内のメモリ（図示せず）や外部のメモリ（図示せず）に予め設定されている所定の温度と図示しない比較部において比較される。
【００５９】
そして、物理緒量演算部５００にて演算された温度が、予め設定された所定温度以上であれば、制御部７００は室温を下げる指令をエアコン５３、５４に発し、エアコン５３、５４、の内部にある制御装置はその指令によってエアコン内の設定温度を下げ室内の温度をより下げようとしてコンプレッサの回転数を上げる。
【００６０】
反対に、冬季で暖房運転している場合、所定温度以下であれば室温を上げる動作をエアコン５３、５４に指令し、エアコン５３、５４はその指令によって設定温度を上げ、コンプレッサの回転を下げるか終了するかする。
【００６１】
これらの動作は、電力量演算部３００の演算結果に無関係に、半ば強制的に行われる。この制御は真夏、真冬など消費電力量の増大よりも室内の快適性を求める場合に良好な制御といえる。
【００６２】
一方で、室内の快適性を追求するよりも消費電力を抑えたい場合は、冷房運転時は、制御部７００等にあるメモリに予め設定されている所定温度より温度センサで検知した温度が高くても、エアコン５３、５４に対する指令は行わず、エアコン５３、５４も設定温度が変化しないモード設定が可能なように制御部７００に内蔵するコンピュータプログラムに係る制御を加えておけばよい。さらには、温度センサで検知した温度が予め設定した温度より数度高い温度に達した場合に初めて、エアコン５３、５４に指令を出し、設定温度を下げるように予めプログラムしておいてもよい。冬季に暖房運転をしている場合も同様なプログラムでエアコンの設定温度の上昇を制御できる。
【００６３】
なお、湿度センサによって屋内の湿度を検出し、その湿度に応じてエアコン５３、５４の制御行う場合は、例えば、湿度が予め制御部７００において設定されている所定湿度以上になった場合にエアコンの設定を除湿に切替るプログラムを予め制御部７００に格納しておくことでこれを実行できる。
【００６４】
なお、図４においては、有線の信号線で複合型多回路電力量計測器とエアコン等を接続する例で説明したが、赤外線や無線などの部を用いてもよい。
【００６５】
また、本実施の形態における複合型多回路電力量計測器１は、図３に示すように通信部６００を備えており、内部で電力量演算部３００および物理諸量演算部５００と接続され、さらにネットワーク網８０１を介してセンターサーバ８０２とデータの送受信が行われる。
【００６６】
このように構成されるネットワークシステムについてその動作を説明する。
【００６７】
複合型多回路電力量計測器１で計測、演算した各機器の消費電力量、および温度、湿度等の物理諸量のデータを通信部６００によりネットワーク網８０１を介してセンターサーバに送信する。センターサーバ８０２はこれらのデータを複数の店舗から受信し、センターサーバ８０２を設置している管理センターでは、表示端末装置に受信したデータを表示させることで、各複数の店舗に設置した複数の複合型多回路電力量計測器のデータ同時に見ることができる。
【００６８】
これにより、管理センターでは、各店舗ごとに温度管理が適切になされているかを管理できるとともに、外気温や室温と売上の関係や、外気温や室温と売れ筋商品の関係を把握することも同時にできる。
【００６９】
さらには、店舗ごとに温度管理が適切になされているかを管理できるとともに、外気温や室温と売上の関係や、外気温や室温と売れ筋商品の関係、入口の開閉頻度や、ガスコンロといった熱源の使用実体を把握することができ、消費電力妥当性の評価や、適切なエネルギ管理がされているかを効率よく実施することができる。
【００７０】
また通信部６００により、ネットワーク網８０１を介してセンターサーバ８０２に接続できるため、センターサーバ８０２を設置している管理センタ側で制御部７００に接続されているエアコンなどの機器を制御することも可能である。この場合、センターサーバに接続されている複数店舗に設置されている複合型多回路電力量計測器を同時に一括して制御することも可能であるが、各店舗の状況に応じてセンターサーバ側で条件を設定して、各店舗ごとに個別の制御をすることも可能である。
【図面の簡単な説明】
【００７１】
【図１】本発明の実施の形態１における複合型多回路電力量計測器とその周辺との接続を示す回路図
【図２】本発明の実施の形態１における切り替えスイッチ部の内部構成およびその周辺との接続状態を示す回路図
【図３】本発明の実施の形態１の第２の実施例における複合型多回路電力量計測器とその周辺との接続を示す回路図
【図４】本発明の実施の形態１において、複合型多回路電力量計測器、温度センサ、および各電気機器の店舗内での配置を示す平面図
【図５】本発明の実施の形態１において各系統電圧への電気機器の接続を示す図
【図６】従来の多回路電力量計測器およびその多回路電力量計測器による電力量の計測状態を示す図
【図７】系統電圧選択出力部の構成を示すブロック図
【符号の説明】
【００７２】
１  複合型多回路電力量計測器
１０  電力量計測部
２０  物理諸量計測部
３３  温度センサ
３３ａ〜３３ｄ  温度センサ
３４  湿度センサ
５０  店舗
５２  入口
５３、５４  エアコン
５５  冷蔵庫
５６  照明器具
５７  制御線
１００  電圧入力部
２００  電流入力部
２６０  物理諸量入力部
２７０  信号選択出力部
３００  電力量演算部
４００  系統電圧選択出力部
５００  物理諸量演算部
５０４  切り替えスイッチ部
５０４ａ  電源部
６００  通信部
６００ａ  表示部
７００  制御部
８０１  ネットワーク網
８０２  センターサーバ
【図１】
2005265762.tif 000003
【図２】
2005265762.tif 000004
【図３】
2005265762.tif 000005
【図４】
2005265762.tif 000006
【図５】
2005265762.tif 000007
【図６】
2005265762.tif 000008
【図７】
2005265762.tif 000009